(57)【要約】  本発明に係るファスナーチェーン(2) は、左右一対のファスナーテープ(1a,1b) と、磁力を有する複数の磁性エレメント(11,11',11'',21,21',21'',71)とを有し、前記磁性エレメント(11,11',11'',21,21',21'',71)は、噛合頭部(14,14',24,24')が、噛合相手側の互いに隣接する磁性エレメント(11,11',11'',21,21',21'',71)の首部(13,23) 間に、テープ表裏方向から前記磁力により嵌脱可能な寸法形状を有している。また、前記各磁性エレメント(11,11',11'',21,21',21'',71)は、左右の前記磁性エレメント(11,11',11'',21,21',21'',71)が噛合・分離する際に、テープ幅方向に沿った軸を中心に回転することを許容する回転許容部を有し、前記回転許容部は、前記各磁性エレメント(11,11',11'',21,21',21'',71)のテープ第１面側の前後側面と、テープ第２面側の前後側面のうちの少なくとも１つの側面に配されている。このようなファスナーチェーン(2) であれば、スライダーを使用することなく、磁力を利用して左右の磁性エレメント(11,11',11'',21,21',21'',71)を円滑に噛合・分離させることが可能で、且つ、優れた横引き強度を有することができる。
2010100744.tif 000002
【特許請求の範囲】
【請求項１】
左右一対の第１及び第２ファスナーテープ(1a,1b)の対向するテープ側縁部に、テープ長さ方向に沿った磁力を有する複数の磁性エレメント(11,11',11'',21,21',21'',71)がテープ表裏面に跨って列設され、前記磁性エレメント(11,11',11'',21,21',21'',71)は、前記テープ側縁部に固着する脚部(12,22)と、同脚部(12,22)からテープ幅方向に沿ってテープ外方に延在し、テープ長さ方向の前後に括れた首部(13,23)と、同首部(13,23)の先端からテープ幅方向にテープ外方へ向けて延在し、テープ長さ方向の前後へ膨大する噛合頭部(14,14',24,24')とを備え、前記磁力を利用して左右の前記磁性エレメント(11,11',11'',21,21',21'',71)を噛合させるファスナーチェーン(2)であって、
前記磁性エレメント(11,11',11'',21,21',21'',71)は、前記噛合頭部(14,14',24,24')が、噛合相手側の互いに隣接する前記磁性エレメント(11,11',11'',21,21',21'',71)の前記首部(13,23)間に、テープ表裏方向から前記磁力により嵌脱可能な寸法形状を有し、
前記各磁性エレメント(11,11',11'',21,21',21'',71)は、左右の前記磁性エレメント(11,11',11'',21,21',21'',71)が噛合・分離する際に、一方の前記磁性エレメント(11,11',11'')が、他方の前記磁性エレメント(21,21',21'',71)と干渉することを回避し、テープ幅方向に沿った軸を中心に回転することを許容する回転許容部を有し、
前記回転許容部は、前記各磁性エレメント(11,11',11'',21,21',21'',71)のテープ第１面側の前後側面と、テープ第２面側の前後側面のうちの少なくとも１つの側面に配されてなる、
ことを特徴とするファスナーチェーン。
【請求項２】
前記回転許容部は、前記各磁性エレメント(11,11',11'',21,21',21'',71)の前記噛合頭部(14,14',24,24')及び前記首部(13,23)におけるテープ第１面側の前後側面と、テープ第２面側の前後側面のうちの少なくとも１つの側面に配されたテーパ面(17a,17b,27a,27b)又は湾曲面により構成され、
前記テーパ面(17a,17b,27a,27b)又は湾曲面は、前記磁性エレメント(11,11',11'',21,21',21'',71)のテープ長さ方向の寸法を、前記第１及び第２ファスナーテープ(1a,1b)のテープ表裏面から離れる方向に漸減させて形成されてなる、
請求の範囲第１項記載のファスナーチェーン。
【請求項３】
前記テーパ面(17a,17b,27a,27b)又は湾曲面は、前記各磁性エレメント(11,11',11'',21,21',21'',71)の前記噛合頭部(14,14',24,24')及び前記首部(13,23)におけるテープ第１面側の前後側面と、テープ第２面側の前後側面とに配されてなる請求の範囲第２項記載のファスナーチェーン。
【請求項４】
前記テーパ面(17a,17b,27a,27b)は、第１テーパ面(17a,27a)と、同第１テーパ面(17a,27a)よりも傾斜の大きい第２テーパ面(17b,27b)とを有してなる請求の範囲第２項記載のファスナーチェーン。
【請求項５】
前記第１テーパ面(17a,27a)は、テープ第１面側の一方の側面と、テープ第２面側の他方の側面とに配され、前記第２テーパ面(17b,27b)は、テープ第１面側の他方の側面と、テープ第２面側の一方の側面とに配されてなる請求の範囲第４項記載のファスナーチェーン。
【請求項６】
前記磁性エレメント(11,11',11'',21,21',21'')は、前記第１ファスナーテープ(1a)に取着される第１磁性エレメント(11,11',11'')と、前記第２ファスナーテープ(1b)に取着される第２磁性エレメント(21,21',21'')とを有し、
前記第１磁性エレメント(11,11',11'')は、前記第１ファスナーテープ(1a)のテープ第１面側にて、前記首部(13)の前方又は後方の括れ部分へ張り出した第１張出部(15,15'') と、前記第１ファスナーテープ(1a)のテープ第２面側にて、前記噛合頭部(14,14')の後端側又は前端側に形成された第１段部(16,16'')とを有し、
前記第２磁性エレメント(21,21',21'')は、前記第２ファスナーテープ(1b)のテープ第２面側にて、前記首部(23)の前方又は後方の括れ部分へ張り出した第２張出部(25,25'') と、前記第２ファスナーテープ(1b)のテープ第１面側にて、前記噛合頭部(24,24')の後端側又は前端側に形成された第２段部(26,26'')とを有してなる、
請求の範囲第１項記載のファスナーチェーン。
【請求項７】
前記第２段部(26,26'')の底面(26a,26a'')におけるテープ表裏方向の高さ位置は、前記第２磁性エレメント(21,21',21'')におけるテープ表裏方向の中心高さ位置、又は同中心高さ位置よりも前記噛合頭部(24,24')におけるテープ表裏方向の高さ寸法が大きくなる位置に設定され、
前記第２張出部(25,25'')の張り出し面(25a,25a'')におけるテープ表裏方向の高さ位置は、前記中心高さ位置、又は同中心高さ位置よりも前記第２張出部(25,25'')におけるテープ表裏方向の高さ寸法が高くなる位置に設定され、
前記第１張出部(15,15'')の張り出し面(15a,15a'')及び前記第１段部(16,16'')の底面(16a,16a'')は、前記第１及び第２磁性エレメント(11,11',11'',21,21',21'')が噛合したときに、前記第２段部(26,26'')の前記底面(26a,26a'')及び前記第２張出部(25,25'')の前記張り出し面(25a,25a'')にそれぞれ当接又は対面するように配されてなる、
請求の範囲第６項記載のファスナーチェーン。
【請求項８】
前記第２段部(26,26'')の前記底面(26a,26a'')と、前記第２張出部(25,25'')の前記張り出し面(25a,25a'')とが同じ高さ位置に配されてなる請求の範囲第７項記載のファスナーチェーン。
【請求項９】
前記第１磁性エレメント(11')は、テープ第２面側に、前記噛合頭部(14')におけるテープ表裏方向の高さを、同噛合頭部(14')の前記首部(13)側から頭部先端に向けて漸減させる先端側傾斜面(18)を有し、
前記第２磁性エレメント(21')は、テープ第１面側に、前記噛合頭部(24')におけるテープ表裏方向の高さを、同噛合頭部(24')の前記首部(23)側から頭部先端に向けて漸減させる先端側傾斜面(28)を有してなる、
請求の範囲第６項記載のファスナーチェーン。
【請求項１０】
請求の範囲第１〜９項のいずれかに記載の前記ファスナーチェーン(2)から形成され、複数の前記磁性エレメント(11,11',11'',21,21',21'',71)により形成されるエレメント列の一端に上止(31,51)が配され、同エレメント列の他端に下止(32,52,62)が配されてなることを特徴とするファスナー。
【請求項１１】
前記上止(31,51)及び／又は下止(32)は、互いに隣接する前記磁性エレメント(11,11',11'',21,21',21'',71)の前記脚部(12,22)が連結部(31a)を介して連結されることにより、又は、互いに隣接する前記磁性エレメント(11,11',11'',21,21',21'',71)の前記脚部(12,22)間の間隔に、前記ファスナーテープ(1)のテープ表裏面に跨って止具形成部(51a)を取着することにより構成されてなる請求の範囲第１０項記載のファスナー。
【発明の詳細な説明】
【技術分野】
【０００１】
本発明は、左右一対のファスナーテープの対向するテープ側縁部に、テープ長さ方向に沿った磁力を有する複数の磁性エレメントが列設され、その磁力を利用して左右の磁性エレメントを噛合させるファスナーチェーン及びファスナーに関する。
【背景技術】
【０００２】
左右一対のファスナーテープに取着されるファスナーエレメントに、テープ長さ方向に沿った磁力を付与し、その磁力を利用して左右のファスナーエレメントを噛合させるファスナーが、例えば特開２００６−１４９８２４号公報（特許文献１）や特開２００７−３１９２５３号公報（特許文献２）に開示されている。【０００３】
前記特許文献１に記載されているファスナーは、各ファスナーテープのテープ側縁部に、正面視にて矩形状の複数のエレメントが合成樹脂の射出成形により固着されている。また、各エレメントの内部には磁石が埋装されており、同磁石は、テープ長さ方向に沿った磁力を有している。【０００４】
この場合、一方のファスナーテープに配される複数のエレメントは、他方のファスナーテープに配される吸着相手側のエレメントにおけるテープ長さ方向の寸法よりも大きな所定のピッチで列設されている。【０００５】
また、互いに隣り合うエレメントの間には、吸着相手側のエレメントと同等又は同エレメントよりも小さいテープ長さ方向の寸法を有する合成樹脂製の位置決め部材が、ファスナーテープのテープ側縁部に取着されている。【０００６】
この位置決め部材は、磁力を有してなく、前記エレメントとは別体に成形されている。このような位置決め部材が配されていることにより、片方のファスナーテープにて隣り合うエレメント同士が吸着しようとしても、同エレメントが位置決め部材に接触するため、これらのエレメント同士が接触することを防止できる。【０００７】
また、同特許文献１のファスナーは、左右のファスナーテープに取着されたエレメントにより形成される左右のエレメント列の一端に、磁石板により互いに吸着することが可能な一対の開具が配されている。【０００８】
このような特許文献１のファスナーでは、前記開具同士をテープ表裏方向で重ね合わせた後、同開具を中心して一方のファスナーテープを他方のファスナーテープに向けて、テープ表裏面に平行に回動させる。これにより、一方のファスナーテープに取着したエレメント間に、他方のファスナーテープに取着したエレメントが挿入されるとともに、左右のエレメントが磁力により吸着する。このため、通常のスライドファスナーが有するようなスライダーを用いなくても、左右のエレメント列が容易に閉鎖される。【０００９】
前記特許文献２に記載されているファスナー８０は、図２７に示したような形状を備え、且つ、テープ長さ方向に沿った磁力を有する複数の磁性エレメント８２が左右一対のファスナーテープ８１のテープ側縁部に取着されている。この場合、テープ側端縁には芯紐部８１ａが形成されており、このファスナーテープ８１の芯紐部８１ａを含むエレメント取付部に沿って複数の磁性エレメント８２が一定の間隔をもって列設されている。【００１０】
同ファスナー８０の磁性エレメント８２は、磁石８６をインサートして合成樹脂を射出成形することにより形成されている。また、同磁性エレメント８２は、磁力を有する矩形状の頭部８３と、ファスナーテープ８１のエレメント取付部に固着される脚部８４と、頭部８３の一側面に形成された係脱凸部８５と、頭部８３の他側面に形成された図示しない係脱凹部とを備えている。【００１１】
この場合、前記係脱凸部８５は、頭部８３の一側面８３ａから円柱状に突出しており、その先端面は頭部先端に向けて傾斜したテーパ状に形成されている。前記係脱凹部は、頭部８３の他側面８３ｂと、頭部８３に埋設した磁石８６の端面との段差により形成されている。また、前記脚部８４は、ファスナーテープ８１の表裏面に跨って、頭部８３よりもテープ長手方向の前後に長く形成されている。なお、同特許文献２のファスナー８０にも、前記特許文献１のファスナー８０と同様の開具が、左右のエレメント列の一端に配されている。【００１２】
このような磁性エレメント８２を有する特許文献２のファスナー８０では、各磁性エレメント８２の頭部８３に係脱凸部８５と係脱凹部とが形成されているため、左右の磁性エレメント８２が係着する際に、各磁性エレメント８２の係脱凸部８５が、係着相手側の磁性エレメント８２の係脱凹部に挿入されて嵌合する。【００１３】
これにより、同ファスナー８０は、ファスナー８０を閉鎖した状態で左右のファスナーテープ８１をテープ幅方向の外側に向けて引っ張る横引き力を受けても、左右の磁性エレメント８２の係着状態を安定して維持することができ、横引き強度に優れている。更に、同ファスナー８０には、係脱凸部８５の先端面がテーパ状に形成されているため、左右の磁性エレメント８２を係着させる際に、各エレメントの係脱凸部８５が係着相手側のエレメントに引っ掛かることを防止し、同係脱凸部８５を係着相手側の係脱凹部に円滑に挿入して嵌合させることができる。【００１４】
また、同特許文献２には、別の実施例として、図２８及び図２９に示したようなファスナー９０が記載されている。
同ファスナー９０は、図示しない左右一対のファスナーテープと、同ファスナーテープのテープ側縁部に沿って列設された複数の磁性エレメント９２，９２’と、同磁性エレメント９２，９２’に沿って摺動させることにより左右の磁性エレメント９２，９２’を係着・分離させるスライダー９４とを備えている。【００１５】
前記磁性エレメント９２，９２’は、磁石９５がその前後端面に表出するように埋設された頭部９６，９６’と、脚部９７，９７’とを備えている。この場合、一方のファスナーテープに取着した第１磁性エレメント９２の頭部９６は、テープ表裏方向の中央部に磁石９５が埋設された柱部９６ａと、同柱部９６ａのエレメント第１面側に配された薄板部９６ｂと、エレメント第２面側に配された図示しない薄板部とを有している。また、第１磁性エレメント９２におけるエレメント第１面側に配された薄板部９６ｂの後方には、係脱凸部９６ｄと張出部９６ｅとが形成され、エレメント第２面側に配された図示しない薄板部の前方には、第２磁性エレメント９２’の後述する係脱凸部９６ｄ’と張出部９６ｅ’を嵌合させる係脱凹部と切欠き部とが形成されている。【００１６】
一方、他方のファスナーテープに取着した第２磁性エレメント９２’の頭部９６’は、テープ表裏方向の中央部に磁石９５が埋設された柱部９６ａ’と、同柱部９６ａ’のエレメント第１面側とエレメント第２面側に配された薄板部９６ｂ’，９６ｃ’とを有している。また、第２磁性エレメント９２’におけるエレメント第１面側に配された薄板部９６ｂ’の前方には、第１磁性エレメント９２に形成された前記係脱凸部９６ｄと前記張出部９６ｅが嵌合する係脱凹部９６ｆ’と切欠き部９６ｇ’とが形成され、エレメント第２面側に配された薄板部９６ｃ’の後方には、係脱凸部９６ｄ’と張出部９６ｅ’とが形成されている。【００１７】
従って、この変形例に係るファスナー９０についても、スライダー９４を摺動させて左右の磁性エレメント９２，９２’を係着させる際に、各磁性エレメント９２，９２’の係脱凸部９６ｄ，９６ｄ’が、係着相手側の磁性エレメント９２，９２’の係脱凹部９６ｆ’に挿入されて嵌合する。特に、これらの係脱凸部９６ｄ，９６ｄ’及び係脱凹部９６ｆ’は、前述の図２７に示した磁性エレメント８２よりもしっかりと嵌合するため、ファスナー９０の閉鎖時における横引き強度を更に向上させることができる。
【特許文献１】特開２００６−１４９８２４号公報
【特許文献２】特開２００７−３１９２５３号公報
【発明の開示】
【発明が解決しようとする課題】
【００１８】
前記特許文献１に記載されているファスナーは、エレメントが有する磁力を利用して、スライダーを使用することなく、左右のエレメントを容易に噛合させることができる。一方、同ファスナーは、噛合状態にある左右のエレメントを互いに離間するようにファスナーテープを外側に向けて引っ張ることにより、左右のエレメントを容易に分離することができるものの、横引き力に対する強度が低いという欠点があった。【００１９】
図２７に示したようなエレメントを有する前記特許文献２に記載のファスナー８０は、各磁性エレメント８２に係脱凸部８５と係脱凹部とが形成されているため、横引き強度が向上している。また、同ファスナー８０は、スライダーを用いずに左右の磁性エレメント８２を磁力によって係着・分離させることができる。しかしながら、同ファスナー８０では、左右の磁性エレメント８２を係着（又は分離）させる際に、ファスナーテープ８１をテープ幅方向に屈曲させながら、隣接する磁性エレメント８２の頭部８３間の間隔を拡げて、当該間隔に噛合相手側の磁性エレメント８２の頭部８３を挿入（又は抜脱）することにより、左右のエレメントをテープ幅方向から噛み合わせている（又は分離させている）。【００２０】
しかしながら、ファスナーテープ８１は、一般的に帯状に形成されているため、テープ表裏方向へは曲がり易いものの、テープ幅方向へは曲がり難い。このため、前述のようにスライダーを用いずにファスナーテープ８１をテープ幅方向に屈曲させて左右の磁性エレメント８２を係着（又は分離）させる場合、エレメントの磁力だけでは、ファスナーテープ８１をテープ幅方向に屈曲させて磁性エレメント８２の係着や分離を円滑に行うことは難しいという問題があった。【００２１】
一方、図２８及び図２９に示した前記特許文献２の他の実施例に係るファスナー９０は、スライダー９４を用いて左右の磁性エレメント９２，９２’を係着・分離させているものの、例えばこのようなスライダー９４を用いずに磁力のみを利用して、左右の磁性エレメント９２，９２’を係着・分離させることは前述と同様の理由により難しかった。【００２２】
特に、同ファスナー９０は、磁性エレメント９２，９２’が係着しているときに、左右の柱部９６ａ，９６ａ’同士が互いに面接触した状態又は近接した状態にあるため、例えば同ファスナー９０自体をテープ表裏方向又はテープ幅方向へ曲げようとしても、左右のエレメントの柱部９６ａ同士が干渉してファスナー９０の屈曲を妨げる。このため、ファスナー９０の屈曲性が低いという欠点もあった。【００２３】
本発明は上記従来の課題に鑑みてなされたものであって、その具体的な目的は、スライダーを使用することなく、磁力を利用して左右のエレメントを円滑に噛合・分離させることが可能で、且つ、優れた横引き強度を有するファスナーチェーン、及び同ファスナーチェーンから形成されるファスナーを提供することにある。
【課題を解決するための手段】
【００２４】
上記目的を達成するために、本発明により提供されるファスナーチェーンは、基本的な構成として、左右一対の第１及び第２ファスナーテープの対向するテープ側縁部に、テープ長さ方向に沿った磁力を有する複数の磁性エレメントがテープ表裏面に跨って列設され、前記磁性エレメントは、前記テープ側縁部に固着する脚部と、同脚部からテープ幅方向に沿ってテープ外方に延在し、テープ長さ方向の前後に括れた首部と、同首部の先端からテープ幅方向にテープ外方へ向けて延在し、テープ長さ方向の前後へ膨大する噛合頭部とを備え、前記磁力を利用して左右の前記磁性エレメントを噛合させるファスナーチェーンであって、前記磁性エレメントは、前記噛合頭部が、噛合相手側の互いに隣接する前記磁性エレメントの首部間に、テープ表裏方向から前記磁力により嵌脱可能な寸法形状を有し、前記各磁性エレメントは、左右の前記磁性エレメントが噛合・分離する際に、一方の磁性エレメントが、他方の前記磁性エレメントと干渉することを回避し、テープ幅方向に沿った軸を中心に回転することを許容する回転許容部を有し、前記回転許容部は、前記各磁性エレメントのテープ第１面側の前後側面と、テープ第２面側の前後側面のうちの少なくとも１つの側面に配されてなることを最も主要な特徴とするものである。【００２５】
本発明に係るファスナーチェーンにおいて、前記回転許容部は、前記各磁性エレメントの前記噛合頭部及び前記首部におけるテープ第１面側の前後側面と、テープ第２面側の前後側面のうちの少なくとも１つの側面に配されたテーパ面又は湾曲面により構成され、前記テーパ面又は湾曲面は、前記磁性エレメントのテープ長さ方向の寸法を、前記第１及び第２ファスナーテープのテープ表裏面から離れる方向に漸減させて形成されていることが好ましい。【００２６】
また、前記テーパ面又は湾曲面は、前記各磁性エレメントの前記噛合頭部及び前記首部におけるテープ第１面側の前後側面と、テープ第２面側の前後側面とに配されていることが好ましい。【００２７】
更に、前記テーパ面は、第１テーパ面と、同第１テーパ面よりも傾斜の大きい第２テーパ面とを有していることが好ましく、この場合、前記第１テーパ面は、テープ第１面側の一方の側面と、テープ第２面側の他方の側面とに配され、前記第２テーパ面は、テープ第１面側の他方の側面と、テープ第２面側の一方の側面とに配されていることが好ましい。【００２８】
本発明に係るファスナーチェーンにおいて、前記磁性エレメントは、前記第１ファスナーテープに取着される第１磁性エレメントと、前記第２ファスナーテープに取着される第２磁性エレメントとを有し、前記第１磁性エレメントは、前記第１ファスナーテープのテープ第１面側にて、前記首部の前方又は後方の括れ部分へ張り出した第１張出部と、前記ファスナーテープのテープ第２面側にて、前記噛合頭部の後端側又は前端側に形成された第１段部とを有し、前記第２磁性エレメントは、前記第２ファスナーテープのテープ第２面側にて、前記首部の前方又は後方の括れ部分へ張り出した第２張出部と、前記第２ファスナーテープのテープ第１面側にて、前記噛合頭部の後端側又は前端側に形成された第２段部とを有していることが好ましい。【００２９】
この場合、前記第２段部の底面におけるテープ表裏方向の高さ位置は、前記第２磁性エレメントにおけるテープ表裏方向の中心高さ位置、又は同中心高さ位置よりも前記噛合頭部におけるテープ表裏方向の高さ寸法が大きくなる位置に設定され、前記第２張出部の張り出し面におけるテープ表裏方向の高さ位置は、前記中心高さ位置、又は同中心高さ位置よりも前記第２張出部におけるテープ表裏方向の高さ寸法が高くなる位置に設定され、前記第１張出部の張り出し面及び前記第１段部の底面は、前記第１及び第２磁性エレメントが噛合したときに、前記第２段部の前記底面及び前記第２張出部の前記張り出し面にそれぞれ当接又は対面するように配されていることが好ましい。【００３０】
特にこの場合、前記第２段部の前記底面と、前記第２張出部の前記張り出し面とが同じ高さ位置に配されていることが好ましい。【００３１】
更に、前記第１磁性エレメントは、テープ第２面側に、前記噛合頭部におけるテープ表裏方向の高さを、同噛合頭部の前記首部側から頭部先端に向けて漸減させる先端側傾斜面を有し、前記第２磁性エレメントは、テープ第１面側に、前記噛合頭部におけるテープ表裏方向の高さを、同噛合頭部の前記首部側から頭部先端に向けて漸減させる先端側傾斜面を有していることが好ましい。【００３２】
また、本発明によれば、前述の構成を有するファスナーチェーンから形成され、複数の前記磁性エレメントにより形成されるエレメント列の一端に上止が配され、同エレメント列の他端に下止が配されているファスナーが提供される。【００３３】
この場合、前記上止及び／又は下止は、互いに隣接する前記磁性エレメントの前記脚部が連結部を介して連結されることにより、又は、互いに隣接する前記磁性エレメントの前記脚部間の間隔に、前記ファスナーテープのテープ表裏面に跨って止具形成部を取着することにより構成されていることが好ましい。
【発明の効果】
【００３４】
本発明に係るファスナーチェーンは、左右一対の第１及び第２ファスナーテープの対向するテープ側縁部に、テープ長さ方向に沿った磁力を有する複数の磁性エレメントがテープ表裏面に跨って列設されている。また、同磁性エレメントは、脚部と、テープ長さ方向の前後に括れた首部と、テープ長さ方向の前後へ膨大する噛合頭部とを備え、且つ、噛合頭部が、噛合相手側の互いに隣接する磁性エレメントの首部間にテープ表裏方向から磁力により嵌脱可能な寸法形状を有している。【００３５】
また、同ファスナーチェーンにおいて、前記各磁性エレメントは、左右の前記磁性エレメントが噛合している状態から分離する際に、一方の磁性エレメントが、他方の前記磁性エレメントと干渉することを回避し、テープ幅方向に沿った軸を中心に回転することを許容する回転許容部を有し、その回転許容部は、前記各磁性エレメントのテープ第１面側の前後側面と、テープ第２面側の前後側面のうちの少なくとも１つの側面に配されている。【００３６】
本発明者等は、磁力を利用して左右の磁性エレメントをより円滑に噛合させるためには、従来のように左右の磁性エレメントをテープ幅方向から順次噛合させるのではなく、テープ表裏方向から噛合させれば良いことを発想し、更に鋭意検討及び試作を繰り返すことにより本発明を完成させた。【００３７】
即ち、本発明のように左右の磁性エレメントをテープ表裏方向から噛合・分離させるようにしてファスナーチェーンを構成した場合、磁性エレメントを噛合又は分離させるときに、ファスナーテープを、テープが曲がり難いテープ幅方向ではなく、テープが曲がり易いテープ表裏方向に屈曲させながら、磁性エレメントの噛合又は分離を行うことができる。従って、スライダーを使用しなくても、各磁性エレメントの磁力を利用することによって、左右の磁性エレメントを互いに円滑に係着させて噛合させることができ、また、噛合した磁性エレメントの分離も容易に行うことができる。【００３８】
また、例えば左右のエレメントをテープ幅方向から係着させる従来のファスナーでは、エレメントを１つずつ左右交互に係着させなければならなかったが、本発明のように左右の磁性エレメントをテープ表裏方向から係着させることによって、一方のファスナーテープに配された隣接する２つ以上の磁性エレメントを（更には、一方のファスナーテープに配された全ての磁性エレメントを）、噛合相手側の磁性エレメントに対して同時に係着させることが可能となり、左右の磁性エレメントの係着を簡単に且つ迅速に行うことが可能となる。【００３９】
なお、図２８及び図２９に示した前記特許文献２に係るファスナー９０においては、同特許文献２に左右の磁性エレメント９２，９２’をテープ表裏方向から係着・分離させることについては何も記載されてなく、また、スライダー９４を用いていることから、左右の磁性エレメント９２，９２’をテープ幅方向から係着・分離させるものであることは明らかであるものの、同ファスナー９０の図２８に示した磁性エレメント９２，９２’の形状を見る限り、これらの磁性エレメント９２，９２’は、テープ表裏方向から係着・分離させることが可能な形状寸法を有していると思われる。【００４０】
しかしながら、例えば図２８に示した左右の磁性エレメント９２，９２’を有し、且つ、スライダー９４を備えてないファスナーチェーンを想定した場合、左右の磁性エレメント９２，９２’を磁力によってテープ表裏方向から係着させることは可能であるものの、噛合状態にある左右の磁性エレメント９２，９２’をテープ表裏方向へ分離させることが難しいという問題があった。【００４１】
具体的に説明すると、例えば、噛合状態にある左右の磁性エレメント９２，９２’をテープ表裏方向に分離させる方法としては、一方のファスナーテープをテープ表裏方向に折り曲げつつ、同ファスナーテープに取着されている磁性エレメント９２を１つずつ噛合相手側のエレメント列からテープ表裏方向に分離させる第１の方法と、一方のファスナーテープを平行に持ち上げて、同ファスナーテープに取着されている全ての磁性エレメント９２を同時にテープ表裏方向に分離させる第２の方法の二通りがある。【００４２】
例えば前者の第１の方法のように、一方のファスナーテープをテープ表裏方向に折り曲げつつ、同ファスナーテープに取着されている磁性エレメント９２を１つずつテープ表裏方向へ分離させる場合、一方の磁性エレメント９２を、同磁性エレメント９２の上下方向の高さ中心線が他方のファスナーテープのテープ面に対して傾くように回転させながら、噛合相手側の磁性エレメント９２’間からテープ表裏方向に抜脱させることが必要とされる。【００４３】
しかしながら、図２８に示した磁性エレメント９２，９２’の場合、左右の磁性エレメント９２，９２’が噛合しているときには、一方の磁性エレメント９２と噛合相手側の他方の磁性エレメント９２’の柱部９６ａ，９６ａ’同士が互いに面接触した状態又は近接した状態にある。【００４４】
従って、一方の磁性エレメント９２を上述のように回転させようとしても、他方の磁性エレメント９２’に干渉するため、自由に回転させることができずに引っ掛かってしまい、一方の磁性エレメント９２を噛合相手側のエレメント列から１つずつテープ表裏方向に抜脱させることができなかった。このため、左右の磁性エレメント９２，９２’が噛合している状態から、一方のファスナーテープをテープ表裏方向に折り曲げながら、同ファスナーテープに取着されている磁性エレメント９２を１つずつテープ表裏方向へ分離させることはできなかった。【００４５】
一方、後者の第２の方法のように、一方のファスナーテープを平行に持ち上げて、同ファスナーテープに取着されている全ての磁性エレメント９２を、噛合相手側のエレメント列から同時にテープ表裏方向へ分離させる場合、互いに磁力で吸着している複数の磁性エレメント９２，９２’を一斉にテープ表裏方向の反対側に向けて移動させることが必要とされる。【００４６】
しかしながら、このように複数の磁性エレメント９２，９２’を一斉に移動させて分離させる場合には、分離の際に極めて大きな力が必要となることや、ファスナーテープを剛体に形成すること等が求められるため、左右の磁性エレメント９２，９２’を容易に分離させることができないという問題があった。
即ち、図２８に示した磁性エレメント９２，９２’を有する特許文献２のファスナー９０の場合、スライダー９４を用いなければ、左右の磁性エレメント９２，９２’を分離することが極めて困難となっていた。【００４７】
これに対して、本発明に係るファスナーチェーンでは、前述のように、各磁性エレメントのテープ第１面側の前後側面と、テープ第２面側の前後側面のうちの少なくとも１つの側面に回転許容部が配されていることにより、左右の前記磁性エレメントが噛合・分離する際に、一方の磁性エレメントが他方の前記磁性エレメントと干渉することを回避でき、テープ幅方向に沿った軸を中心に回転することを可能としている。【００４８】
従って、本発明のファスナーチェーンでは、一方のファスナーテープをテープ表裏方向に折り曲げることにより、同ファスナーテープに取着されている磁性エレメントを、同磁性エレメントの上下方向の高さ中心線が他方のファスナーテープのテープ面に対して傾くように回転しながら、噛合相手側の磁性エレメントと干渉させずに噛合相手側の磁性エレメント間からテープ表裏方向に容易に抜脱させることができ、それによって、左右の磁性エレメントを円滑に分離させることができる。【００４９】
特に本発明では、前記回転許容部が、前記各磁性エレメントの前記噛合頭部及び前記首部におけるテープ第１面側の前後側面と、テープ第２面側の前後側面のうちの少なくとも１つの側面に配されたテーパ面又は湾曲面により構成されており、そのテーパ面又は湾曲面は、前記磁性エレメントのテープ長さ方向の寸法を、前記第１及び第２ファスナーテープのテープ表裏面から離れる方向に漸減させて形成されている。【００５０】
このようなテーパ面又は湾曲面が各磁性エレメントの噛合頭部と首部とに配されていることにより、噛合している左右の前記磁性エレメントを分離させる際に、一方の磁性エレメントが他方の磁性エレメントと干渉することを確実に回避でき、左右の磁性エレメントを円滑に分離させることができる。更に、左右の磁性エレメントを磁力によってテープ表裏方向から吸引して噛合させる際には、一方の磁性エレメントの噛合頭部を、テーパ面又は湾曲面を介して他方の磁性エレメントの首部間に容易に誘い込んで、左右の磁性エレメントを更に円滑に且つ安定して噛合させることができる。【００５１】
特にこの場合、各磁性エレメントのテーパ面又は湾曲面が、噛合頭部及び首部におけるテープ第１面側の前後側面と、テープ第２面側の前後側面とに配されていることにより、左右の磁性エレメントを磁力によって噛合させるときに、一方の磁性エレメントの噛合頭部を、テーパ面又は湾曲面を介して他方の磁性エレメントの首部間に更に安定して案内することができ、磁性エレメントの噛合をより円滑に行うことができる。【００５２】
また、噛合している左右の磁性エレメントを分離させる際にも、一方の磁性エレメントを他方の磁性エレメントに対して容易に回転させながら、左右の磁性エレメントを更に円滑に分離させることができる。その上、テーパ面又は湾曲面が、噛合頭部及び首部におけるテープ第１面側の前後側面と、テープ第２面側の前後側面とに配されていれば、各磁性エレメントの見た目（外観品質）が良くなり、ファスナーの意匠性を向上させることができる。【００５３】
このような本発明に係るファスナーチェーンにおいて、前記テーパ面は、第１テーパ面と、同第１テーパ面よりも傾斜の大きい第２テーパ面とを有している。特にこの場合、前記第１テーパ面は、テープ第１面側の一方の側面と、テープ第２面側の他方の側面とに配され、前記第２テーパ面は、テープ第１面側の他方の側面と、テープ第２面側の一方の側面とに配されている。これにより、左右の磁性エレメントを噛合させるときに、一方の磁性エレメントの噛合頭部を、他方の磁性エレメントの首部間に更に案内し易くすることができる。【００５４】
また、本発明に係るファスナーチェーンにおいて、磁性エレメントが、第１ファスナーテープに取着される第１磁性エレメントと、第２ファスナーテープに取着される第２磁性エレメントとを有しており、第１磁性エレメントは、第１ファスナーテープのテープ第１面側にて、首部の前方又は後方の括れ部分へ張り出した第１張出部と、ファスナーテープのテープ第２面側にて、噛合頭部の後端側又は前端側に形成された第１段部とを有している。また、第２磁性エレメントは、第２ファスナーテープのテープ第２面側にて、首部の前方又は後方の括れ部分へ張り出した第２張出部と、第２ファスナーテープのテープ第１面側にて、噛合頭部の後端側又は前端側に形成された第２段部とを有している。【００５５】
これにより、第１磁性エレメントを他方のファスナーテープのテープ第１面側から第２磁性エレメントに円滑に噛み合わせることができる。また、第１磁性エレメントと第２磁性エレメントとが噛合している状態のときには、第２磁性エレメントの第２張出部と第２段部とによって、第１磁性エレメントの第１段部と第１張出部とをそれぞれ支持できるため、例えば、第１磁性エレメントがテープ第１面側から押圧力（突き上げ力）を受けても、左右の磁性エレメントの噛合が外れることを防止できる。【００５６】
更に、同ファスナーチェーンの場合、第１磁性エレメントの噛合頭部と第２磁性エレメントの噛合頭部とが、テープ長さ方向に沿ってテープ第１面側とテープ第２面側とで交互に噛み合わされる。このため、第１磁性エレメントのエレメント列と第２磁性エレメントのエレメント列とを、テープ表裏方向についてバランス良く噛合させることができる。【００５７】
この場合、第２段部の底面における高さ位置は、第２磁性エレメントの中心高さ位置、又は同中心高さ位置よりも噛合頭部における高さ寸法が大きくなる位置に設定されている。また、第２張出部の張り出し面における高さ位置は、前記中心高さ位置、又は同中心高さ位置よりも第２張出部における高さ寸法が高くなる位置に設定されている。更に、第１張出部の張り出し面及び第１段部の底面は、第１及び第２磁性エレメントが噛合したときに、第２段部の底面及び第２張出部の張り出し面に対して、それぞれ当接又は対面するように配されている。【００５８】
これにより、第１磁性エレメントの第１張出部及び第１段部、並びに、第２磁性エレメントの第２段部及び第２張出部を容易に形成することができ、また、第１磁性エレメントと第２磁性エレメントとを互いに干渉させることなく、より円滑に噛合・分離させることができる。その上、第１及び第２磁性エレメントが噛合している状態にて、ファスナーチェーンのテープ表裏方向への屈曲性を容易に確保することができる。【００５９】
更にこの場合、第２段部の底面と、第２張出部の張り出し面とが同じ高さ位置に配されていることにより、第１段部及び第１張出部を、第２張出部及び第２段部にて安定して支持することができる。特に、第２段部の底面及び第２張出部の張り出し面における高さ位置が前記中心高さ位置に配されており、且つ、第１張出部の張り出し面及び第１段部の底面が第２段部の底面及び第２張出部の張り出し面に当接するように配されていれば、第１段部及び第１張出部をより安定して支持できる。またこの場合、第１及び第２磁性エレメントが対称的な形状を有するため、ファスナーチェーンの外観品質を向上させることができる。【００６０】
本発明に係るファスナーチェーンにおいて、第１磁性エレメントは、テープ第２面側に、噛合頭部におけるテープ表裏方向の高さを、同噛合頭部の首部側から頭部先端に向けて漸減させる先端側傾斜面を有している。また、第２磁性エレメントは、テープ第１面側に、噛合頭部におけるテープ表裏方向の高さを、同噛合頭部の首部側から頭部先端に向けて漸減させる先端側傾斜面を有している。これにより、第１及び第２磁性エレメントがテープ幅方向から互いに当接したときに、第２磁性エレメントに対して、第１磁性エレメントを傾斜面に沿って相対的に第２ファスナーテープのテープ第１面側へ移動させて、第１及び第２磁性エレメントをテープ表裏方向から噛合させることができる。【００６１】
そして、本発明によれば、前述の構成を有するファスナーチェーンから形成され、複数の磁性エレメントにより形成されるエレメント列の一端に上止が配され、同エレメント列の他端に下止が配されているファスナーが提供される。【００６２】
このような本発明のファスナーであれば、各磁性エレメントの磁力を利用することによって、左右の磁性エレメントを円滑に、且つ簡単に噛合させることができ、また、噛合状態にある左右の磁性エレメントを容易に分離させることができる。【００６３】
この場合、前記上止及び／又は下止は、互いに隣接する磁性エレメントの脚部が連結部を介して連結されることにより、又は、互いに隣接する磁性エレメントの脚部間の間隔に、ファスナーテープのテープ表裏面に跨って止具形成部を取着することにより構成されている。これにより、左右の磁性エレメントが噛合状態にあるときに、ファスナーが横引き力を受けても、エレメント列が上止側及び／又は下止側から左右に分離することを効果的に防止することができる。
【図面の簡単な説明】
【００６４】
【図１】図１は、本発明の実施例１に係るファスナーを示す正面図である。
【図２】図２は、同ファスナーの第１磁性エレメントを示す斜視図である。
【図３】図３は、同ファスナーの第２磁性エレメントを示す斜視図である。
【図４】図４は、同ファスナーの上止を示す正面図である。
【図５】図５は、同ファスナーが分離した状態を示す正面図である。
【図６】図６は、同ファスナーの第１磁性エレメントと第２磁性エレメントとが噛合する前の状態を示す断面図である。
【図７】図７は、図６に示したＶＩＩ−ＶＩＩ線断面図である。
【図８】図８は、図６に示したＶＩＩＩ−ＶＩＩＩ線断面図である。
【図９】図９は、同ファスナーが閉鎖した状態を示す正面図である。
【図１０】図１０は、図９に示したＸ−Ｘ線断面図である。
【図１１】図１１は、図９に示したＸＩ−ＸＩ線断面図である。
【図１２】図１２は、第１磁性エレメントが第２磁性エレメントから分離するときの状態を示す断面図である。
【図１３】図１３は、同ファスナーの使用例を説明する説明図である。
【図１４】図１４は、同ファスナーの別の使用例を説明する説明図である。
【図１５】図１５は、同ファスナーの更に別の使用例を説明する説明図である。
【図１６】図１６は、上止の変形例を示す正面図である。
【図１７】図１７は、下止の変形例を示す斜視図である。
【図１８】図１８は、下止の別の変形例を示す斜視図である。
【図１９】図１９は、同下止の第１開具を示す斜視図である。
【図２０】図２０は、同下止の第２開具を示す斜視図である。
【図２１】図２１は、第１及び第２磁性エレメントの変形例を示す断面図である。
【図２２】図２２は、第１及び第２磁性エレメントの変形例を示す断面図である。
【図２３】図２３は、本発明の実施例２に係るファスナーの第２磁性エレメントを示す斜視図である。
【図２４】図２４は、同ファスナーの第１磁性エレメントと第２磁性エレメントとを噛合させる前の状態を示す断面図である。
【図２５】図２５は、同ファスナーの第１磁性エレメントと第２磁性エレメントとを噛合させるときの状態を示す断面図である。
【図２６】図２６は、本発明の実施例３に係るファスナーの第２磁性エレメントを示す正面図である。
【図２７】図２７は、従来の磁性エレメントを示す斜視図である。
【図２８】図２８は、従来の別の磁性エレメントを示す斜視図である。
【図２９】図２９は、同磁性エレメントを有するファスナーを示す斜視図である。
【符号の説明】
【００６５】
１                ファスナーテープ
１ａ              第１ファスナーテープ
１ｂ              第２ファスナーテープ
２                ファスナーチェーン
３                芯紐部
１０，１０’        ファスナー
１１，１１’        第１磁性エレメント
１１″              第１磁性エレメント
１１ａ              第１エレメント列
１２                第１脚部
１３                第１首部
１４，１４’        第１噛合頭部
１５，１５″        第１張出部
１５ａ，１５ａ″    張り出し面
１６，１６″        第１段部
１６ａ，１６ａ″    底面
１７ａ              第１テーパ面
１７ｂ              第２テーパ面
１７ｃ              第３テーパ面
１８                第１先端側傾斜面
２１，２１’        第２磁性エレメント
２１″              第２磁性エレメント
２１ａ              第２エレメント列
２２                第２脚部
２３                第２首部
２４，２４’        第２噛合頭部
２５，２５″        第２張出部
２５ａ，２５ａ″    張り出し面
２６，２６″        第２段部
２６ａ，２６ａ″    底面
２７ａ              第１テーパ面
２７ｂ              第２テーパ面
２７ｃ              第３テーパ面
２８                第２先端側傾斜面
３１                上止
３１ａ              連結部
３２                下止
４１                鞄
４２                収納部
４５                剛体ボックス
４５ａ              ボックス壁部
４５ｂ              折り曲げ部
４７                テント
４７ａ              入口カバー
４７ｂ              テント本体
５１                上止
５１ａ              止具形成部
５２                下止
５３                蝶棒
５４                箱体
５４ａ              テープ挟持部
５４ｂ              箱部
５４ｃ              嵌入孔
６２                下止
６３                第１開具
６３ａ              第１テープ挟持部
６３ｂ              第１開具本体
６３ｃ              凹部
６３ｄ              凸部
６４                第２開具
６４ａ              第２テープ挟持部
６４ｂ              第２開具本体
６４ｃ              凸部
６４ｄ              凹部
７１                第２磁性エレメント
【発明を実施するための最良の形態】
【００６６】
以下、本発明の実施の形態について、実施例を挙げて図面を参照しながら詳細に説明する。なお、本発明は、以下で説明する実施例に何ら限定されるものではなく、本発明と実質的に同一な構成を有し、かつ、同様な作用効果を奏しさえすれば、多様な変更が可能である。
【実施例１】
【００６７】
図１は、本実施例１に係るファスナーを示す正面図である。図２は、同ファスナーの第１磁性エレメントを示す斜視図であり、図３は、同ファスナーの第２磁性エレメントを示す斜視図である。また、図４は、同ファスナーの上止を示す正面図である。【００６８】
なお、本実施例１並びに後述する実施例２及び３では、ファスナーテープのテープ長さ方向を前後方向とし（上止が配されている側の方向を前方、下止が配されている側の方向を後方とする）、テープ幅方向を左右方向とし（第１磁性エレメントが配されている側の方向を左方、第２磁性エレメントが配されている側の方向を右方とする）、テープ表裏方向を上下方向として（第２磁性エレメントに対して第１磁性エレメントを噛合・分離させる側の方向を上方、その反対側の方向を下方とする）、説明を行うこととする。【００６９】
本実施例１のファスナー１０は、左右一対のファスナーテープ１の対向するテープ側縁部に磁性エレメント１１，２１が固着されたファスナーチェーン２に、上止３１と下止３２とが設けられて構成されている。
前記ファスナーテープ１は、正面から見たときに左側に配される第１ファスナーテープ１ａと、右側に配される第２ファスナーテープ１ｂとを備えており、第１及び第２ファスナーテープ１ａ，１ｂは、それぞれ対向するテープ側縁に芯紐部３を有している。また、第１及び第２ファスナーテープ１ａ，１ｂには、芯紐部３を含むテープ側縁部に沿って複数の磁性エレメント１１，２１が所定のピッチで離間して列設されて、エレメント列１１ａ，２１ａが形成されている。この場合、磁性エレメント１１，２１は、第１ファスナーテープ１ａに取着される第１磁性エレメント１１と、第２ファスナーテープ１ｂに取着される第２磁性エレメント２１とを有している。【００７０】
本実施例１において、第１及び第２磁性エレメント１１，２１と前記上止３１及び下止３２とは、酸化鉄又はネオジウムを含む磁性材料と、ナイロン等の合成樹脂とが混合された成形材料を、ファスナーテープ１のテープ表裏面に跨るように射出成形することによって所定の形状に成形されている。更に、所定の形状に成形された第１及び第２磁性エレメント１１，２１と上止３１及び下止３２とには、アルミ蒸着等の表面処理や塗装処理、鍍金などが順次施され、その後、第１磁性エレメント１１と第２磁性エレメント２１を噛合させた状態で強い磁界の中で着磁することによって形成されている。【００７１】
本実施例１の第１磁性エレメント１１は、第１ファスナーテープ１ａのテープ表裏面に跨って固着されており、また、第１ファスナーテープ１ａのテープ端縁部に固着した第１脚部１２と、同第１脚部１２から左右方向（テープ幅方向）に沿ってテープ外方に延在するとともに前後に括れた形状を有する第１首部１３と、同第１首部１３の先端から左右方向にテープ外方へ延在し、前後へ膨大する第１噛合頭部１４とを有している。【００７２】
また、各第１磁性エレメント１１には、テープ長さ方向に沿って同一方向の磁極がエレメント全体に付与されており、本実施例１の場合は、各第１磁性エレメント１１の前方側がＮ極、後方側がＳ極となるように着磁されている。この場合、第１磁性エレメント１１の第１脚部１２は、第１磁性エレメント１１に付与した磁極の方向が判るように、テープ幅方向に対して前方側に傾斜した状態に配されている。【００７３】
この第１磁性エレメント１１には、第１首部１３の前方の括れ部分に張り出す第１張出部１５が、第１ファスナーテープ１ａのテープ上面側に、即ち、第１磁性エレメント１１の上下方向の中心高さ位置から上方側に配されている。また、第１噛合頭部１４の後端側を切り欠いて形成した第１段部１６が、第１ファスナーテープ１ａのテープ下面側に、即ち、第１磁性エレメント１１の上下方向の中心高さ位置から下方側に配されている。特に、本実施例１の場合、第１張出部１５の下端面となる張り出し面１５ａと第１段部１６の底面１６ａ（切欠かれた第１噛合頭部１４の下端面）は、第１磁性エレメント１１の上下方向の中心高さ位置に配され、テープ表裏方向に直交する平坦面に形成されている。【００７４】
また、第１磁性エレメント１１におけるテープ表面側（テープ第１面側）の前後側面とテープ裏面側（テープ第２面側）の前後側面とには、第１脚部１２から第１噛合頭部１４にかけて第１テーパ面（傾斜面）１７ａが形成されており、同第１テーパ面１７ａは、第１磁性エレメント１１のテープ長さ方向の寸法を、第１ファスナーテープ１ａのテープ表裏面から離れる方向（言い換えると、第１磁性エレメント１１の上下方向の中心高さ位置から上方及び下方）に向けて漸減させるように配されている。【００７５】
つまり、第１磁性エレメント１１のテープ長さ方向の寸法は、第１磁性エレメント１１の上面側及び下面側より、第１ファスナーテープ１ａ側の方が大きく設定されている。なお、ここで、第１磁性エレメント１１の前端面とは、第１磁性エレメント１１のテープ長手方向中央よりも前側に、第１ファスナーテープ１ａの平面（テープ面）に対して起立するように形成された面であり、また、第１磁性エレメント１１の後端面とは、第１磁性エレメント１１のテープ長手方向中央よりも後ろ側に、第１ファスナーテープ１ａの平面（テープ面）に対して起立するように形成された面である。【００７６】
更に、第１張出部１５の上面側（テープ表面側）の前側面と、第１噛合頭部１４の第１段部１６が形成されている下面側（テープ裏面側）の後側面とには、第１テーパ面１７ａよりもテープ長さ方向に対する傾斜角度が大きい第２テーパ面（傾斜面）１７ｂが形成されている。
更にまた、第１磁性エレメント１１の第１脚部１２には、テープ内方側端縁に向けて第１磁性エレメント１１の上下方向の高さ寸法を漸減させる第３テーパ面（傾斜面）１７ｃが形成されている。【００７７】
本実施例１の第２磁性エレメント２１は、第２ファスナーテープ１ｂのテープ表裏面に跨って固着されており、また、テープ長手方向に延びる軸線に対し、第１磁性エレメント１１と線対称となる形態を有している。即ち、同第２磁性エレメント２１は、第２ファスナーテープ１ｂのテープ端縁部に固着した第２脚部２２と、同第２脚部２２から左右方向に沿ってテープ外方に延在する第２首部２３と、同第２首部２３の先端から左右方向にテープ外方へ延在する第２噛合頭部２４とを有している。【００７８】
また、各第２磁性エレメント２１には、第１磁性エレメント１１と同じ方向の磁極、即ち、各第２磁性エレメント２１の前方側がＮ極、後方側がＳ極となる磁極がエレメント全体に付与されており、更に、第２磁性エレメント２１の第２脚部２２は、同第２磁性エレメント２１の磁極の方向が判るように、テープ幅方向に対して前方側に傾斜した状態で配されている。【００７９】
この場合、第１磁性エレメント１１の第１噛合頭部１４及び第１首部１３、並びに第２磁性エレメント２１の第２噛合頭部２４及び第２首部２３は、第１磁性エレメント１１の第１噛合頭部１４が、互いに隣接する第２磁性エレメント２１の第２首部２３間にテープ表裏方向から嵌脱可能で、且つ、第２磁性エレメント２１の第２噛合頭部２４が、互いに隣接する第１磁性エレメント１１の第１首部１３間にテープ表裏方向から嵌脱可能な寸法形状に設定されている。【００８０】
この第２磁性エレメント２１には、第２首部２３の前方の括れ部分に張り出す第２張出部２５が、第２ファスナーテープ１ｂのテープ下面側に、即ち、第２磁性エレメント２１の上下方向の中心高さ位置から下方側に配されている。また、第２噛合頭部２４の後端側を切り欠いて形成した第２段部２６が、第２ファスナーテープ１ｂのテープ上面側に、即ち、第２磁性エレメント２１の上下方向の中心高さ位置から上方側に配されている。この場合、第２張出部２５の上端面となる張り出し面２５ａ、及び第２段部２６の底面２６ａ（切欠かれた第２噛合頭部２４の上端面）は、第２磁性エレメント２１の上下方向の中心高さ位置に配され、テープ表裏方向に直交する平坦面に形成されている。【００８１】
また、第２磁性エレメント２１におけるテープ表面側の前後側面とテープ裏面側の前後側面とには、第２脚部２２から第２噛合頭部２４にかけて第１テーパ面（傾斜面）２７ａが形成されており、同第１テーパ面２７ａは、第２磁性エレメント２１のテープ長さ方向の寸法を、テープ表裏面から離れる方向に向けて漸減させるように配されている。【００８２】
更に、第２張出部２５の下面側の前側面と、第２噛合頭部２４の第２段部２６が形成されている上面側の後側面とには、第１テーパ面２７ａよりもテープ長さ方向に対する傾斜角度が大きい第２テーパ面（傾斜面）２７ｂが形成されている。更にまた、第２磁性エレメント２１の第２脚部２２には、テープ内方側端縁に向けて第２磁性エレメント２１の上下方向の高さ寸法を漸減させる第３テーパ面（傾斜面）２７ｃが形成されている。【００８３】
なお、本発明では、第１及び第２磁性エレメント１１，２１の第１及び第２噛合頭部１４，２４及び第１及び第２首部１３，２３におけるテープ表面側の前後側面と、テープ裏面側の前後側面のうちの少なくとも１つの側面に、第１テーパ面１７ａ，２７ａ又は第２テーパ面１７ｂ，２７ｂを有していれば良い。【００８４】
つまり、後述するように本実施例１のファスナーは、第１エレメント列１１ａを第２エレメント列２１ａの上方側から接近させることによって、第１磁性エレメント１１と第２磁性エレメント２１とが磁力によって吸着して噛み合う。このため、第１磁性エレメント１１の第１テーパ面１７ａ及び第２テーパ面１７ｂは、第１ファスナーテープ１ａの下方側（テープ裏面側）に配され、第２磁性エレメント２１の第１テーパ面２７ａ及び第２テーパ面２７ｂは、第２ファスナーテープ１ｂの上方側（テープ表面側）に配されていれば良い。【００８５】
しかし、本実施例１のように第１及び第２磁性エレメント１１，２１のテープ表裏面側の前後側面に、第１テーパ面１７ａ，２７ａ又は第２テーパ面１７ｂ，２７ｂが第１及び第２噛合頭部１４，２４から第１及び第２脚部１２，２２に渡って連続的に形成されていることによって、第１及び第２磁性エレメント１１，２１の見た目を良くすることができる。【００８６】
更に、本発明では、第１及び第２磁性エレメント１１，２１に、上述のように傾斜した第１テーパ面１７ａ，２７ａ〜第３テーパ面１７ｃ，２７ｃを形成する代わりに、それらのテーパ面と同じように第１及び第２磁性エレメント１１，２１のテープ長さ方向の寸法又はテープ表裏方向の寸法を漸減させるように湾曲した第１湾曲面〜第３湾曲面を形成することも可能である。【００８７】
本実施例１の前記上止３１は、図１に示したように、第１磁性エレメント１１のエレメント列１１ａ（以下、第１エレメント列１１ａと記す）の前端に配されており、前記下止３２は、第２磁性エレメント２１のエレメント列２１ａ（以下、第２エレメント列２１ａと記す）の後端に配されている。また、上止３１は、図４に上止３１の拡大図を示したように、互いに隣接する２つの第１磁性エレメント１１の第１脚部１２を、連結部３１ａを介して一体的に連結した形状を有しており、下止３２は、互いに隣接する２つの第２磁性エレメント２１の第２脚部２２を、連結部を介して一体的に連結した形状を有している。【００８８】
このような本実施例１のファスナー１０において、第１ファスナーテープ１ａに形成された第１エレメント列１１ａと、第２ファスナーテープ１ｂに形成された第２エレメント列２１ａとを噛合させるためには、図６〜図８に示したように、第１磁性エレメント１１を、第２エレメント列２１ａの上方側から、第２磁性エレメント２１に噛み合わせるように接近させる。【００８９】
これによって、第１磁性エレメント１１が有する磁力と第２磁性エレメント２１が有する磁力とにより第１及び第２磁性エレメント１１，２１が互いに引き付けあって、第１磁性エレメント１１の第１噛合頭部１４が、互いに隣接する第２磁性エレメント２１の第２首部２３間に案内されてテープ表裏方向の上方から嵌着する（図７を参照）。また同時に、第２磁性エレメント２１の第２噛合頭部２４が、互いに隣接する第１磁性エレメント１１の第１首部１３間に案内されてテープ表裏方向から嵌着する（図８を参照）。【００９０】
このとき、第１及び第２磁性エレメント１１，２１の前後側面のテープ表面側（テープ第１面側）とテープ裏面側（テープ第２面側）とには第１テーパ面１７ａ，２７ａが形成されており、更に、第１及び第２磁性エレメント１１，２１の第１及び第２段部１６，２６が形成されている側面には、第１テーパ面１７ａ，２７ａよりも傾斜角度が大きい第２テーパ面１７ｂ，２７ｂが形成されている。【００９１】
より具体的に説明すると、第１磁性エレメント１１の第１テーパ面１７ａは、第１ファスナーテープ１ａの上方側の前側面（上止側の側面）及び後側面（下止側の側面）と、下方側の前側面及び後側面とに形成されている。この第１テーパ面１７ａより傾斜角度の大きい第２テーパ面１７ｂは、第１ファスナーテープ１ａの上方側の前側面と、下方側の後側面とに形成されている。特に、これらの第２テーパ面１７ｂは、テープ幅方向（左右方向）について、第１脚部１２よりも第１噛合頭部１４側に形成され、また、テープ表裏方向（上下方向）について、第１磁性エレメント１１の上下表面側から上下方向中央付近まで形成されている。【００９２】
第２磁性エレメント２１の第１テーパ面２７ａは、第２ファスナーテープ１ｂの上方側の前側面（上止側の側面）及び後側面（下止側の側面）と、下方側の前側面及び後側面とに形成されている。この第１テーパ面２７ａより傾斜角度の大きい第２テーパ面２７ｂは、第２ファスナーテープ１ｂの上方側の後側面と、下方側の前側面とに形成されている。特に、これらの第２テーパ面２７ｂは、テープ幅方向（左右方向）について、第２脚部２２よりも噛合頭部２４側に形成され、また、テープ表裏方向（上下方向）について、第２磁性エレメント２１の上下表面側から上下方向中央付近まで形成されている。【００９３】
従って、第１磁性エレメント１１が磁力によって第２磁性エレメント２１の上方側（テープ表面側）から噛合する際に、第１テーパ面１７ａ，２７ａ及び第２テーパ面１７ｂ，２７ｂを介して、第１磁性エレメント１１の第１噛合頭部１４を、隣り合う２つの第２磁性エレメント２１の第２首部２３間に案内して容易に誘い込むことができる。それとともに、第２磁性エレメント２１の第２噛合頭部２４も、隣り合う２つの第１磁性エレメント１１の第１首部１３間に案内して容易に誘い込むことができる。更にこのとき、第１及び第２磁性エレメント１１，２１の各噛合頭部１４，２４を、例えばテープ表裏方向に対して前方又は後方に傾斜した角度からでも、噛合相手側の首部２３、１３間に円滑に誘い込むことができる。【００９４】
また本実施例１では、第１磁性エレメント１１における第１ファスナーテープ１ａの下方側の第２テーパ面１７ｂが、同第１磁性エレメント１１の後側面（下止側の側面）に形成されており、第２磁性エレメント２１における第２ファスナーテープ１ｂの上方側の第２テーパ面２７ｂが、同第２磁性エレメント２１の後側面（下止側の側面）に形成されている。【００９５】
このように、左右の第１及び第２磁性エレメント１１，２１を噛み合わせる際に、傾斜角度の大きい第２テーパ面１７ｂ，２７ｂがそれぞれの磁性エレメント１１，２１の誘い込み側に形成されていることにより、それぞれの噛合頭部１４，２４を、噛合相手側の首部２３、１３間に円滑に誘い込むことができる。【００９６】
これにより、第１及び第２磁性エレメント１１，２１の各噛合頭部１４，２４を噛合相手側の磁性エレメント２１，１１の首部２３，１３間に嵌着させて、第１及び第２磁性エレメント１１，２１を、図１及び図９に示したように、上下方向の同じ高さ位置にて、円滑に且つ安定して噛合させることができる。【００９７】
なお、本実施例１のファスナー１０では、第１エレメント列１１ａと第２エレメント列２１ａの相対的な位置がテープ長さ方向にずれていても（即ち、上止３１の位置と、第２エレメント列２１ａの前端に配された第２磁性エレメント２１の位置とがテープ長さ方向にずれていても）、第１及び第２磁性エレメント１１，２１の磁力によって、各磁性エレメント１１，２１の噛合頭部１４，２４を噛合相手側の磁性エレメント２１，１１の首部２３，１３間に案内して、第１及び第２磁性エレメント１１，２１を容易に噛合させることができる。【００９８】
また、第１及び第２磁性エレメント１１，２１が噛合したときに、第１及び第２磁性エレメント１１，２１の磁力と、第１磁性エレメント１１の第１張出部１５の張り出し面１５ａ及び第１段部１６の底面１６ａが、図１０及び図１１に示したように第２磁性エレメント２１の第２段部２６の底面２６ａ及び第２張出部２５の張り出し面２５ａに当接する。これによって、第１及び第２磁性エレメント１１，２１の噛合状態を安定させることができる。【００９９】
この場合、本実施例１のファスナー１０は、第１及び第２磁性エレメント１１，２１の各噛合頭部１４，２４が噛合相手側の磁性エレメント２１，１１の首部２３，１３間に嵌着しているため、横引き強度に優れている。このため、左右のファスナーテープ１が横引き力を受けてテープ幅方向の外側に向けて引っ張られても、第１及び第２磁性エレメント１１，２１の噛合状態を安定して維持することができる。【０１００】
また、同ファスナー１０は、第１及び第２磁性エレメント１１，２１に第１テーパ面１７ａ，２７ａ及び第２テーパ面１７ｂ，２７ｂが設けられていることにより、第１及び第２磁性エレメント１１，２１が噛合している状態にあってもファスナー１０をテープ表裏方向に容易に折り曲げることができ、屈曲性に優れている。【０１０１】
更に、同ファスナー１０では、第１エレメント列１１ａの前端に上止３１が配され、第２エレメント列２１ａの後端に下止３２が配されている。このため、第１及び第２エレメント列１１ａ，２１ａが噛み合わされている状態で横引き力を受けたときに、上止３１が配されている第１エレメント列１１ａの前端側や、下止３２が配されている第２エレメント列２１ａの後端側から、所謂噛合割れが生じることを効果的に防止でき、第１及び第２磁性エレメント１１，２１の噛合状態をより安定して維持することができる。【０１０２】
つまり、上止３１や下止３２が配されていない場合に、第１及び第２ファスナーテープ１ａ，１ｂの端部側付近で横引き力を受けると、第１及び第２エレメント列１１ａ，２１ａの端部に配された第１磁性エレメント１１及び／又は第２磁性エレメント２１が、第１及び第２ファスナーテープ１ａ，１ｂのテープ面上を、磁性エレメント１１，２１同士の噛み合いを外す方向に回転するように動いてしまう。これにより、第１及び第２エレメント列１１ａ，２１ａの端部に配された第１及び第２磁性エレメント１１，２１から順番に噛み合いが外れていき、左右の第１及び第２ファスナーテープ１ａ，１ｂが正面視にてＹ字状を呈するように、第１及び第２エレメント列１１ａ，２１ａが一方の端部側から徐々に分離することがある。【０１０３】
しかし、上述のように上止３１及び下止３２が配されていることによって、エレメント列１１ａ，２１ａの端部に配された第１磁性エレメント１１及び／又は第２磁性エレメント２１が上述のように回転するように動くことを防ぎ、第１及び第２エレメント列１１ａ，２１ａが一方の端部側から分離することを効果的に防止できる。【０１０４】
次に、本実施例１のファスナー１０において、第１及び第２磁性エレメント１１，２１を噛合している状態から分離する方法について説明する。【０１０５】
本実施例１のファスナー１０では、例えば第１ファスナーテープ１ａが剛体で構成されている場合であれば、第１ファスナーテープ１ａを第２ファスナーテープ１ｂに対して上方へ平行に持ち上げることによって、第１ファスナーテープ１ａに取着されている全ての第１磁性エレメント１１が、第２磁性エレメント２１の上方へ向けて同時に持ち上げられる。このため、同第１磁性エレメント１１を第２磁性エレメント２１から抜脱させて、噛合状態にある第１磁性エレメント１１と第２磁性エレメント２１とを分離することが可能である。【０１０６】
またその他に、本実施例１のファスナー１０では、図１２に示したように、第１ファスナーテープ１ａをテープ後端側又はテープ前端側からテープ表面側（上方側）に折り曲げることによって、同第１ファスナーテープ１ａに取着されている第１磁性エレメント１１を、その第１ファスナーテープ１ａの動きに従って、１つずつ第２磁性エレメント２１の上方に持ち上げて、同第１磁性エレメント１１を第２磁性エレメント２１から抜脱させることができる。【０１０７】
この場合、各第１磁性エレメント１１は、同第１磁性エレメント１１の上下方向における高さ中心線が第２ファスナーテープ１ｂのテープ面に対して傾くように回転しながら、第２磁性エレメント２１間から上方に持ち上げられる。その際に、本実施例１のファスナー１０では、第１及び第２磁性エレメント１１，２１のテープ表裏面側の前後側面に、第１磁性エレメント１１と第２磁性エレメント２１との干渉を回避する回転許容部として、第１テーパ面１７ａ，２７ａや第２テーパ面１７ｂ，２７ｂが形成されている。このため、第１磁性エレメント１１を、噛合相手側の第２磁性エレメント２１に干渉させることなく、テープ幅方向に沿った軸を中心に円滑に回転させながら、第２磁性エレメント２１から容易に抜脱させることができる。【０１０８】
このように第１磁性エレメント１１がテープ幅方向に沿った軸を中心に回転して抜脱する場合、第１磁性エレメント１１の後側面が、第２磁性エレメント２１の間から抜け出て、その後、第１磁性エレメント１１の前側面が、第２磁性エレメント２１の間から抜け出る。なお、例えば上述の動きとは反対の動きで、第１磁性エレメント１１を１つずつ第２磁性エレメント２１に噛み合わせることができる。【０１０９】
即ち、本実施例１のファスナー１０では、第１ファスナーテープ１ａをテープ前端側又はテープ後端側から上方に折り曲げることにより、第１磁性エレメント１１を上述のように回転させながら第２磁性エレメント２１の上方に持ち上げて、同第１磁性エレメント１１を１つずつ円滑に抜脱させることができる。このため、同第１磁性エレメント１１を、軽い力で第２磁性エレメント２１から容易に且つ円滑に分離することができる。【０１１０】
特に本実施例１のファスナー１０では、図９などに示したように、第１磁性エレメント１１の第１噛合頭部１４から第１脚部１２に渡る前端縁が、テープ幅方向と平行に配されており、同前端縁と、噛合相手側の第２磁性エレメント２１の第２噛合頭部２４から第２脚部２２に渡る後端部とが対向するように配されている。このため、第１磁性エレメント１１と第２磁性エレメント２１を分離する際に、第１ファスナーテープ１ａをテープ前端側から上方に折り曲げるよりも、テープ後端側から上方に折り曲げて第１磁性エレメント１１を第２磁性エレメント２１から抜脱させる方が、それぞれの接触面が真直ぐであるために第１磁性エレメント１１と第２磁性エレメント２１とが引っ掛かり難く、第１磁性エレメント１１をより円滑に分離させることができる。【０１１１】
以上のように、本実施例１のファスナー１０は、スライダーを使用することなく、磁力を利用して、第１磁性エレメント１１と第２磁性エレメント２１を円滑に且つ安定して噛合させることができ、また、噛合状態にある第１及び第２磁性エレメント１１，２１を、第１ファスナーテープ１ａをテープ前端側又はテープ後端側から上方に折り曲げることによって、容易に且つ円滑に分離させることができる。また、同ファスナー１０は、屈曲性にも優れている。【０１１２】
このような第１及び第２磁性エレメント１１，２１の噛合と分離を円滑に行うことができる本実施例１のファスナー１０は、鞄類、箱類、又はテントなどの製品に好適に使用することができる。例えば図１３に同ファスナー１０の使用例を示したように、本実施例１のファスナー１０を、ツールバッグなどの鞄４１と、同鞄４１に取着可能なポケットなどの収納部４２とを連結する連結部分に使用することによって、収納部４２を容易に着脱させることが可能となる。【０１１３】
また、図１４に本実施例１のファスナー１０の別の使用例を示したように、同ファスナー１０を、剛体ボックス４５に使用することによって、同剛体ボックス４５の組み立てと分解とを自由に行うことが可能となる。この場合、剛体ボックス４５は、上下、前後、及び左右の各面を形成するボックス壁部４５ａで囲まれることにより構成されている。【０１１４】
また、左右側面に配されるボックス壁部４５ａと、上面に配される蓋状のボックス壁部４５ａの側縁からは折り曲げ部４５ｂが延設されており、この折り曲げ部４５ｂに第１磁性エレメント１１を有する第１ファスナーテープ１ａが取着されている。また、折り曲げ部４５ｂが折り曲げられたときに、同折り曲げ部４５ｂが当接する他のボックス壁部４５ａ表面に、第２磁性エレメント２１を有する第２ファスナーテープ１ｂが取着されている。【０１１５】
なお、この場合、ボックス壁部４５ａ及び折り曲げ部４５ｂに、第１及び第２磁性エレメント１１，２１を有する第１及び第２ファスナーテープ１ａ，１ｂを取り付けるのではなく、ボックス壁部４５ａ及び折り曲げ部４５ｂ自体に、第１及び第２磁性エレメント１１，２１を列状に直接取り付けても良い。【０１１６】
本実施例１のファスナー１０の更に別の使用例として、図１５に示したようなテント４７が挙げられる。このテント４７は、入口カバー４７ａのテント外側から見て右側に配される側縁（右側縁）に沿って、第１磁性エレメント１１を有する第１ファスナーテープ１ａが取着され、テント本体４７ｂの入口周縁部の右側縁に沿って、第２磁性エレメント２１を有する第２ファスナーテープ１ｂが取着されている。【０１１７】
また、入口カバー４７ａの左側縁と下側縁に沿って、第１磁性エレメント１１と面対象となる磁性エレメントを有するファスナーテープが取着されており、テント本体４７ｂの入口周縁部の左側縁と下側縁に沿って、第２磁性エレメント２１と面対象となる磁性エレメントを有するファスナーテープが取着されている。なお、図１５では、入口カバー４７ａに取着される磁性エレメントを第１磁性エレメント１１とし、テント本体４７ｂに取着される磁性エレメントを第２磁性エレメント２１として表している。【０１１８】
前述のように、入口カバー４７ａの左側縁及び下側縁に取着される第１磁性エレメントは、入口カバー４７ａの右側縁に取着される第１磁性エレメント１１に対して面対称の関係にあり、同第１磁性エレメントが有する第１張出部１５の張り出し面１５ａと第１段部１６の底面１６ａとは、下方に面するように形成されている。【０１１９】
また同様に、テント本体４７ｂの入口周縁部の左側縁及び下側縁に取着される第２磁性エレメントは、同入口周縁部の右側縁に取着される第２磁性エレメント２１に対して面対称の関係にあり、同第２磁性エレメントが有する第２張出部２５の張り出し面２５ａと第２段部２６の底面２６ａとは、上方に面するように形成されている。【０１２０】
これにより、同テント４７は、外側に開く入口カバー４７ａを容易に開閉することができ、また、入口カバー４７ａが閉鎖されているときには、同入口カバー４７ａがテント外側からテント内側に向かう力を受けても開くことはなく、その閉鎖状態を安定して維持することができる。【０１２１】
また、入口カバー４７ａを開ける場合には、図１２に示したように第１磁性エレメント１１を１つずつ第２磁性エレメント２１から抜脱させることにより、入口カバー４７ａをその下側縁側から容易に開けることができる。更に、図１５に示したテント４７の場合、入口カバー４７ａの上側縁がテント本体４７ｂに接続されているため、入口カバー４７ａ及びテント本体４７ｂの入口周縁部の左右側縁の下端に、前述の下止３２が配されていれば、入口カバー４７ａの閉鎖状態をより安定して維持することができる。【０１２２】
なお、本実施例１のファスナー１０では、図１及び図４に示したような上止３１及び／又は下止３２を設ける代わりに、図１６に示したような上止５１や、同上止５１の線対称となる形態を有する図示しない下止とを設けることができる。この図１６に示した上止５１は、２つの隣接する第１磁性エレメント１１と、同第１磁性エレメント１１の第１脚部１２間の間隔に、テープ表裏面に跨って配された止具形成部５１ａとにより構成されている。【０１２３】
このような上止５１であっても、同上止５１に第２ファスナーテープ１ｂに配された第２磁性エレメント２１を安定して嵌着させることができる。また、第１エレメント列１１ａと第２エレメント列２１ａとが噛み合わされている状態で横引き力を受けても、上止３１が配されている第１エレメント列１１ａの前端側から噛合割れが生じることを効果的に防止することができる。【０１２４】
またその他に、本実施例１のファスナー１０では、前述の下止３２に代えて、例えば図１７に示したような下止５２や、図１８に示したような下止６２を用いることができる。
図１７に示した下止５２は、第１エレメント列１１ａ後端の第１磁性エレメント１１から連続的に形成された蝶棒５３と、第２エレメント列２１ａ後端の第２磁性エレメント２１から連続的に形成された箱体５４とを有している。【０１２５】
この場合、蝶棒５３は、第１ファスナーテープ１ａの表裏面に跨って、直方体状に形成されている。箱体５４は、第２ファスナーテープ１ｂのテープ表裏面に跨って固着されており、この箱体５４は、第２磁性エレメント２１に連結するテープ挟持部５４ａと、同テープ挟持部５４ａの後端に配された箱部５４ｂとを有しており、同箱部５４ｂには、前面側から蝶棒５３を嵌入することが可能な嵌入孔５４ｃが形成されている。【０１２６】
なお、この嵌入孔５４ｃは、蝶棒５３をテープ表裏方向から嵌入することが可能なように、嵌入孔５４ｃに蝶棒５３が嵌入したときに同蝶棒５３の上面側及び下面側に所定のクリアランスが形成されるような寸法形状で形成されている。【０１２７】
このような下止５２を有することにより、第１エレメント列１１ａと第２エレメント列２１ａとを噛み合わせる際に、第１磁性エレメント１１と第２磁性エレメント２１のテープ長さ方向における噛み合わせ位置を安定させることができる。更に、第１エレメント列１１ａと第２エレメント列２１ａとが噛み合わされている状態で横引き力を受けても、第１及び第２エレメント列１１ａ，２１ａの下止５２が配されている後端側から、噛合割れが生じることを効果的に防止することができる。【０１２８】
一方、図１８に示した下止６２は、図１９に示した第１開具６３と、図２０に示した第２開具６４とを有している。
この場合、第１開具６３は、第１ファスナーテープ１ａに固着するとともに、第１エレメント列１１ａの後端に配された第１磁性エレメント１１に連結する第１テープ挟持部６３ａと、同第１テープ挟持部６３ａの後端に配された円板状の第１開具本体６３ｂとを有しており、同第１開具本体６３ｂの裏面側には、第２開具６４の後述する凸部６４ｃを嵌着可能な凹部６３ｃと、第２開具６４の後述する凹部６４ｄを嵌着可能な凸部６３ｄとが形成されている。【０１２９】
第２開具６４は、第２ファスナーテープ１ｂに固着するとともに、第２エレメント列２１ａの後端に配された第２磁性エレメント２１に連結する第２テープ挟持部６４ａと、同第２テープ挟持部６４ａの後端に配された円板状の第２開具本体６４ｂとを有しており、同第２開具本体６４ｂの裏面側には、第１開具６３の凹部６３ｃに嵌着可能な凸部６４ｃと、第１開具６３の凸部６３ｄに嵌着可能な凹部６４ｄとが形成されている。【０１３０】
また、第１開具本体６３ｂと第２開具本体６４ｂとには、テープ表裏方向に互いに吸着する磁力が付与されている。また、第１開具本体６３ｂの凹部６３ｃと第２開具本体６４ｂの凸部６４ｃとは、第１開具本体６３ｂと第２開具本体６４ｂとが吸着したときに、第１及び第２開具本体６３ｂ，６４ｂが左右方向（テープ幅方向）へ相対的に移動することを規制する規制部を構成している。【０１３１】
このような下止６２を有することにより、第１エレメント列１１ａと第２エレメント列２１ａとを噛み合わせる際に、第１磁性エレメント１１と第２磁性エレメント２１のテープ長さ方向における噛み合わせ位置を安定させることができる。更に、第１エレメント列１１ａと第２エレメント列２１ａとが噛み合わされている状態で横引き力を受けても、凹部６３ｃと凸部６４ｃとからなる規制部によって第１及び第２開具本体６３ｂ，６４ｂが左右方向へ相対的に移動して分離することを防止できるため、第１及び第２エレメント列１１ａ，２１ａの後端側から噛合割れが生じることを効果的に防止することができる。【０１３２】
なお、本実施例１のファスナー１０では、第１及び第２張出部１５，２５の張り出し面１５ａ，２５ａと第１及び第２段部１６，２６の底面１６ａ，２６ａとが、各磁性エレメント１１，２１の中心高さ位置に配されており、また、第１及び第２磁性エレメント１１，２１が噛合したときに、第１張出部１５の張り出し面１５ａ及び第１段部１６の底面１６ａが、第２段部２６の底面２６ａ及び第２張出部２５の張り出し面２５ａにそれぞれ当接するように形成されている（図１０及び図１１を参照）。【０１３３】
しかし、本発明はこれに限定されるものではなく、例えば図２１及び図２２に変形例となる第１及び第２磁性エレメント１１″，２１″を示したように、第１及び第２張出部１５″，２５″の張り出し面１５ａ″，２５ａ″と第１及び第２段部１６″，２６″の底面１６ａ″，２６ａ″とは、各磁性エレメント１１″，２１″の中心高さ位置よりも上方に配されていても良い。これにより、第１磁性エレメント１１″の第１段部１６″が配されている後方側の噛合頭部１４の厚さと、第１張出部１５″の厚さとを薄くすることができるため、第１磁性エレメント１１″と第２磁性エレメント２１″とを噛み合わせし易く構成することができる。【０１３４】
また本発明では、図２１及び図２２に示したように、第１及び第２磁性エレメント１１″，２１″が噛合したときに、第１張出部１５″の張り出し面１５ａ″及び第１段部１６″の底面１６ａ″が、第２段部２６の底面２６ａ″及び第２張出部２５″の張り出し面２５ａ″との間にクリアランスを設けて対面するように形成することも可能である。【０１３５】
更に本発明では、第１及び第２磁性エレメント１１，２１の磁極は、前方側がＳ極、後方側がＮ極となるように着磁されていても良い。また、実施例１のファスナー１０は、第１磁性エレメント１１を第２磁性エレメント２１の上方から吸着係合させるように構成されているが、本発明では、第２磁性エレメントを第１磁性エレメントの上方から吸着係合させるようにしてファスナーを構成することもできる。
【実施例２】
【０１３６】
図２３は、本実施例２に係るファスナーに配される第２磁性エレメントを示す斜視図である。また、図２４は、同ファスナーの第１磁性エレメントと第２磁性エレメントとを噛合させる前の状態を示す断面図であり、図２５は、同ファスナーの第１磁性エレメントと第２磁性エレメントとを噛合させるときの状態を示す断面図である。【０１３７】
本実施例２のファスナー１０’における第１磁性エレメント１１’には、第１噛合頭部１４’の第１首部１３側から頭部先端に向けて、同第１噛合頭部１４’におけるテープ表裏方向の高さを漸減させる第１先端側傾斜面（テーパ面）１８がテープ裏面側（第１噛合頭部１４’の下方側）に形成されている。また、本実施例２における第２磁性エレメント２１’には、第２噛合頭部２４’の第２首部２３側から頭部先端に向けて、同第２噛合頭部２４’におけるテープ表裏方向の高さを漸減させる第２先端側傾斜面（テーパ面）２８がテープ表面側（第２噛合頭部２４’の上方側）に形成されている。【０１３８】
なお、本実施例２のファスナー１０’は、第１及び第２磁性エレメント１１’，２１’に第１及び第２先端側傾斜面１８，２８がそれぞれ形成されていること以外の構成については、前記実施例１のファスナー１０と実質的に同様である。従って、本実施例２において、前記実施例１と同様の構成を有する部品及び部材については同じ符号を用いて表すことによって、その説明を省略することとする。【０１３９】
本実施例２のファスナー１０’は、第１先端側傾斜面１８が形成された第１磁性エレメント１１’と、第２先端側傾斜面２８が形成された第２磁性エレメント２１’とを有することによって、例えば図２４及び図２５に示したように、第１磁性エレメント１１’と第２磁性エレメント２１’とがテープ幅方向から互いに接近し、更に当接したときに、第１及び第２磁性エレメント１１‘，２１’の磁力による吸引力によって、第１磁性エレメント１１’を，第２磁性エレメント２１’に対して、第１及び第２先端側傾斜面１８，２８に沿って第２ファスナーテープ１ｂのテープ表面側へ相対的に移動させることができる。【０１４０】
これによって、第１磁性エレメント１１’が第２磁性エレメント２１’の上面側に容易に移動するため、同第１磁性エレメント１１’を第２磁性エレメント２１’の上方側から、同第２磁性エレメント２１’に円滑に噛合させることができる。従って、本実施例２のファスナー１０’は、磁性エレメント１１’，２１’がテープ幅方向から接近したときの吸引によっても、第１磁性エレメント１１’と第２磁性エレメント２１’とが噛合し易くすることができる。
【実施例３】
【０１４１】
図２６は、本実施例３に係るファスナーに配される第２磁性エレメントを示す正面図である。
本実施例３における第１及び第２磁性エレメント７１は、前記実施例１における第１及び第２磁性エレメント１１，２１から、第１及び第２張出部１５，２５と第１及び第２段部１６，２６を省いて構成されており、それ以外の構成については、前記実施例１のファスナー１０と実質的に同様である。従って、本実施例３においても、前記実施例１と同様の構成を有する部品及び部材については同じ符号を用いて表すことによって、その説明を省略することとする。【０１４２】
図２４に示すファスナーにおいて、第２ファスナーテープ１ｂに取り付けられる第２磁性エレメント７１は、隣接する２つの第２磁性エレメント７１の間に、図示を省略した第１ファスナーテープ１ａに取り付けた第１磁性エレメントの第１噛合頭部を挿入可能に形成されている。この場合、隣り合う２つの第２磁性エレメント７１の首部２３の間の空間は、第１磁性エレメントの第１噛合頭部より大きく形成されている。【０１４３】
第２磁性エレメント７１には、その第２噛合頭部２４と首部２３とに渡って第１テーパ面２７ａが形成されている。ここで、本実施例３の第１磁性エレメントは、テープ長さ方向に沿った軸線にて、第２磁性エレメント７１と線対称の形態に形成されているため、その詳しい説明と図示を省略する。【０１４４】
このような第１磁性エレメントと第２磁性エレメント７１が列設された本実施例３のファスナーは、第１及び第２磁性エレメント７１が噛合している状態で、テープ裏面側からテープ表面側に向かう突き上げ力を受けたときの強度（突き上げ強度）が、前記実施例１のファスナー１０に比べて低いものの、第１磁性エレメントと第２磁性エレメント７１を噛合させる際に、第１磁性エレメントを第２磁性エレメント７１の上方側からだけでなく、第２磁性エレメント７１の下方側からでも円滑に噛み合わせることができる。【０１４５】
更に、本実施例３のファスナーは、第１及び第２磁性エレメント７１が噛合している状態から、第１磁性エレメントを第２磁性エレメント７１の上方側に抜脱させることによって、第１磁性エレメントと第２磁性エレメント７１を分離させることができ、また、第１磁性エレメントを第２磁性エレメント７１の下方側に抜脱させることによっても、第１磁性エレメントと第２磁性エレメント７１を分離させることも可能である。【０１４６】
このように、本実施例３のファスナーは、第１磁性エレメントと第２磁性エレメント７１の噛合及び分離を第２磁性エレメント７１の上下方向から簡単に行うことができる。このため、前記実施例１のファスナー１０よりもファスナーを開閉する際の操作性を向上させることができる。【０１４７】
なお、前述の実施例１〜実施例３において、第１及び第２磁性エレメントは、磁性材料と合成樹脂材料とを混合したものを射出成形することによって形成されているが、本発明の第１及び第２磁性エレメントはこれに限定されず、磁性を有する磁石などの物体を埋め込むと同時に合成樹脂を所定の形状に成型することによって、第１及び第２磁性エレメントを形成することもできる。
【図１】
2010100744.tif 000003
【図２】
2010100744.tif 000004
【図３】
2010100744.tif 000005
【図４】
2010100744.tif 000006
【図５】
2010100744.tif 000007
【図６】
2010100744.tif 000008
【図７】
2010100744.tif 000009
【図８】
2010100744.tif 000010
【図９】
2010100744.tif 000011
【図１０】
2010100744.tif 000012
【図１１】
2010100744.tif 000013
【図１２】
2010100744.tif 000014
【図１３】
2010100744.tif 000015
【図１４】
2010100744.tif 000016
【図１５】
2010100744.tif 000017
【図１６】
2010100744.tif 000018
【図１７】
2010100744.tif 000019
【図１８】
2010100744.tif 000020
【図１９】
2010100744.tif 000021
【図２０】
2010100744.tif 000022
【図２１】
2010100744.tif 000023
【図２２】
2010100744.tif 000024
【図２３】
2010100744.tif 000025
【図２４】
2010100744.tif 000026
【図２５】
2010100744.tif 000027
【図２６】
2010100744.tif 000028
【図２７】
2010100744.tif 000029
【図２８】
2010100744.tif 000030
【図２９】
2010100744.tif 000031
【国際調査報告】
2010100744.tif 000032
2010100744.tif 000033
2010100744.tif 000034
2010100744.tif 000035